【事件の表示】
　特願２００３−３４３５０４「携帯電話端末、及びプログラム」拒絶査定不服審判事件〔平成１６年　７月　２日出願公開、特開２００４−１８７２７３〕について、次のとおり審決する。
【結　論】
　本件審判の請求は、成り立たない。
【理　由】
１．手続の経緯・本願発明
　本願は，平成１５年１０月１日（優先権主張平成１４年１１月２２日）に出願された特許出願であって，平成１９年２月２１日付けで拒絶査定がなされ，これに対し，平成１９年３月２６日に拒絶査定に対する審判請求がなされたものであり，その請求項１に係る発明は，平成１８年１２月１日付けの手続補正により補正された特許請求の範囲の請求項１に記載された事項により特定される次のとおりのものである。（以下，「本願発明」という。）
　「通信相手との通信を行う通信手段を有した携帯電話端末であって，
　複数の画像を記憶する画像記憶手段と，
　任意に選択された相手先に対しての連絡先情報を含む相手先情報を登録すると共に，その相手先に対して上記画像記憶手段に記憶される画像を任意に対応付けて登録したアドレス帳情報を，複数記憶するアドレス帳記憶手段と，
　上記通信手段を介して通信を行った際に，その通信相手の連絡先情報とその通信日時とを通信履歴として記憶する通信履歴記憶手段と，
　上記通信履歴記憶手段に記憶された各通信履歴毎に，その通信履歴の連絡先情報が上記アドレス帳記憶手段内のアドレス帳情報として記憶されているか否かを検索する第1検索手段と，
　上記第1検索手段でアドレス帳情報として記憶されていると検索された相手先のアドレス帳情報に，相手先画像が対応付けて登録されているか否かを検索する第２検索手段と，
　上記通信履歴記憶手段に記憶された複数の通信履歴を一覧表示する際は，画像無しで一覧表示するのか，画像付で一覧表示するのかを任意に指定する指定手段と，
　画像無しで一覧表示することが指定された際は，上記通信履歴記憶手段に記憶された複数の通信履歴の各相手先毎に，上記第1検索手段での検索に基づいた相手先情報を一覧表示する第１表示制御手段と，
　画像付で一覧表示することが指定された際は，上記通信履歴記憶手段に記憶された複数の通信履歴の各相手先毎に，上記第1検索手段と上記第２検索手段との検索に基づき，予め画像が対応付け登録されている相手先の場合には当該登録画像に基づく縮小画像が付加された相手先情報を一覧表示する第２表示制御手段と，
　を備えたことを特徴とする携帯電話端末。」
　
２．引用発明
　原審の拒絶の理由において提示された特開２０００−２５３３７３号公報（以下，「引用例」という。）には，図面の記載とともに下記の記載がある。
　
　イ．「【請求項１】　表示装置が設けられた携帯通信端末において，
　通信先を示す情報と画像情報とを対応付けた複数組の情報を記憶する記憶手段と，
　前記記憶手段によって記憶された複数組の情報から１組の情報毎に，その画像情報を前記表示装置において表示させる表示手段と，
　前記表示手段によって画像情報が表示された時点での通信実行の指示に応じて，表示中の画像情報に対応して前記記憶手段によって記憶された通信先を示す情報をもとに通信を実行する通信手段と
　を具備したことを特徴とする携帯通信端末。
【請求項２】　表示装置が設けられた携帯通信端末において，
　画像情報を入力するカメラと，
　電話番号と前記カメラによって入力された画像情報とを対応付けた複数組の情報を記憶する記憶手段と，
　前記記憶手段によって記憶された複数組の情報から１組の情報毎に，その画像情報を前記表示装置において表示させる表示手段と，
　前記表示手段によって画像情報が表示された時点での通信実行の指示に応じて，表示中の画像情報に対応して前記記憶手段によって記憶された電話番号をもとに通信を実行する通信手段と
　を具備したことを特徴とする携帯通信端末。
【請求項３】　以前の通信で用いられた電話番号を記憶するリダイヤル電話番号記憶手段と，
　前記リダイヤル電話番号記憶手段によって記憶された電話番号またはこの電話番号に該当する前記記憶手段に記憶された画像情報とを前記表示装置において表示させるリダイヤル電話番号表示手段と，
　前記リダイヤル電話番号表示手段によって電話番号または画像情報が表示された時点での通信実行の指示に応じて，表示中の電話番号をもとに通信を実行するリダイヤル通信手段とを具備したことを特徴とする請求項２記載の携帯通信端末。」（２頁１欄２〜３７行）
　
　ロ．「【０００２】
【従来の技術】一般に，電話端末などを用いた二者間での通信を行なう場合には，通信相手を電話番号によって指定している。これに対して，特開平２−８９４８２号公報に開示されたテレビ電話装置では，図７に示すように，テレビ画面１を多数に分割（９分割）し，それぞれに通信可能な相手の顔画像３を表示し，その画面中から通信相手を選択することができるようになっている。」（２頁２欄３〜１０行）
　
　ハ．「【０００５】本発明は前記のような事情を考慮してなされたもので，通話相手を表示画面に表示された画像から確実に確認した上で通話することが可能な携帯通信端末を提供することを目的とする。
【０００６】
【課題を解決するための手段】本発明は，表示装置が設けられた携帯通信端末において，画像情報を入力するカメラと，電話番号と前記カメラによって入力された画像情報とを対応付けた複数組の情報を記憶する記憶手段と，前記記憶手段によって記憶された複数組の情報から１組の情報毎に，その画像情報を前記表示装置において表示させる表示手段と，前記表示手段によって画像情報が表示された時点での通信実行の指示に応じて，表示中の画像情報に対応して前記記憶手段によって記憶された電話番号をもとに通信を実行する通信手段とを具備することで，いわゆるメモリダイヤルとして電話番号を記憶させる際にカメラによって撮像された画像，例えば顔画像を記憶手段により記憶させることができ，この記憶手段により記憶された電話番号を用いて発信を行なう際に，発信対象とする電話番号の検索が１件分毎に表示される画像情報（通話相手の顔画像）を確認しながら行うことができる。」（２頁２欄２８〜４９行）
　
　ニ．「【００１０】図１に示すように，本実施形態における携帯通信端末１０は，携帯通信端末１０の本体部と脱着可能にして設けられた画像撮像用のカメラ１２が設けられている。図１に示す例では，カメラ１２は，携帯通信端末１０の本体上部に設けられており，図示せぬコネクタを介して電気的に携帯通信端末１０（後述する画像処理部３０）と接続されている。
【００１１】携帯通信端末１０には，制御部１４，メモリ１６，無線部１８，アンテナ２０，マイクレシーバ２２，キーボード２４，電源部２６，タイマ２８，画像処理部３０，及び表示部３２の各機能が設けられて構成されている。
【００１２】制御部１４は，携帯通信端末１０全体の制御を司るもので，音声通話を行なうための音声制御機能の他，メモリ１６に格納されたプログラムを実行することで各種機能を実現する。制御部１４の音声制御機能は，マイクレシーバ２２を介して入力された音声信号をディジタル化すると共に，所定の音声符号化方式でエンコードして符号化音声データを生成して無線部１８を介して送出させ，また無線部１８を介して受信された符号化音声データをデコードすると共に，アナログ化して音声信号を生成してマイクレシーバ２２に与え音声を出力させる。また，制御部１４によりプログラムに基づいて実現される他の機能としては，メモリダイヤル処理機能，リダイヤル処理機能，不在着信処理機能などがある。詳細については後述する。
【００１３】メモリ１６は，各種機能を実現するためのプログラムの他，各種の情報が必要に応じて記憶される。メモリ１６に記憶される情報としては，電話番号と文字情報（名前）と画像情報（カメラ１２によって撮像して得た画像など）とを対応付けた複数組の情報が含まれるメモリダイヤル情報１６ａ，以前に発呼した相手の電話番号などの情報が含まれるリダイヤル電話番号情報１６ｂ，携帯通信端末１０の使用者が応答できない時に着信があったことを通知するための相手の電話番号や着信のあった時刻などの情報が含まれる不在着信履歴情報１６ｃなどがある。リダイヤル電話番号情報１６ｂと不在着信履歴情報１６ｃには，何れも複数件の情報を記憶させることができるものとする。
【００１４】無線部１８は，制御部１０の制御のもとで，アンテナ２０を介した無線通信による情報の送受信を実行する。」（３頁３欄３３行〜４欄２４行）
　
　ホ．「【００２１】表示部３２は，液晶ディスプレイなどによって構成され，画像処理部３０の制御のもとで各種情報の表示を行なう。
【００２２】図２（ａ）には，携帯通信端末１０の外観構成を示している。図２（ａ）に示す状態において携帯通信端末１０の上面部付近には，カメラ１２が脱着可能となるように取り付けられていると共にアンテナ２０が側面部に沿って設けられている。また，携帯通信端末１０の一側面部には，表示部３２の表示画面とキーボード２４とが設けられている（図２（ｂ）には表示部３２における表示画面例を示している）。
【００２３】図３には，メモリ１６に記憶されるメモリダイヤル情報１６ａのデータ構造の一例を示している。図３に示すように，メモリダイヤル情報１６ａには，電話番号と文字情報と顔画像とが対応付けて１つのエントリとして登録されている。通常，文字情報として名前の情報が登録されるため，以下，文字情報を名前として説明する。なお，これらの情報以外にも，携帯通信端末１０が文字メッセージ（電子メールなど）の送受信を行なう機能が設けられている場合には，送信先を示すアドレスなどの情報も対応付けて登録することもできる。
【００２４】メモリダイヤル情報１６ａの登録は，電話番号と名前を表す文字情報については，キーボード２４のダイヤルキーに対する操作によって行われる。さらに，本実施形態における携帯通信端末１０では，カメラ１２によって任意の画像，例えば対面している人の顔を撮影して得られた顔画像を，電話番号及び名前を表す文字情報とに対応付けて登録することができる。」（４頁５欄１２〜３９行）
　
　ヘ．「【００３９】次に，図５に示すフローチャートを参照しながらリダイヤル処理について説明する。リダイヤル処理では，メモリ１６のリダイヤル電話番号情報１６ｂに登録されている過去に発呼を行った複数の電話番号（例えば１０件分）から所望するリダイヤルの対象とする電話番号（リダイヤル電話番号）を呼び出して発呼することができる。本実施形態では，リダイヤルしようとする電話番号の検索を行なう際に，メモリダイヤル情報１６ａに電話番号と対応付けて登録した顔画像を利用してリダイヤルの相手を確認することができる。
【００４０】まず，待ち受け時にリダイヤル発信がキーボード２４の所定のキーに対する操作によって要求されると（ステップＢ１），制御部１４は，リダイヤル電話番号情報１６ｂから所定の順番に従って最初のエントリの情報を取り出す（ステップＢ２）。なお，リダイヤル電話番号情報１６ｂのエントリに対する所定の順番としては，通話を行った日時が新しい順，通話回数頻度順などに基づいて並べ替えが可能であるものとする。
【００４１】制御部１４は，リダイヤル電話番号情報１６ｂから取り出したリダイヤル電話番号に対応する顔画像が，メモリダイヤル情報１６ａに登録されているか否かを照合する（ステップＢ３）。すなわち，制御部１４は，リダイヤル電話番号情報１６ｂから取り出したリダイヤル電話番号をもとにメモリダイヤル情報１６ａに登録されている電話番号を検索し，該当する電話番号があった場合に，この電話番号に対応して顔画像が登録されているか否かによって判別する。
【００４２】顔画像がメモリダイヤル情報１６ａに登録されていた場合（ステップＢ４），制御部１４は，該当するエントリの電話番号，顔画像とを，画像処理部３０により表示部３２において表示させる（ステップＢ５）。この場合，例えばメモリダイヤル処理の場合と同様に，図２（ｂ）に示すように，表示部３２の１表示画面中に電話番号と共に顔画像を表示させる。この時，リダイヤル電話番号をもとにメモリダイヤル情報１６ａを検索することで，リダイヤル電話番号に対応する名前が得られた場合には電話番号と共に名前を表示させる。
【００４３】一方，顔画像がメモリダイヤル情報１６ａに登録されていない場合（ステップＢ４），制御部１４は，リダイヤル電話番号を画像処理部３０により表示部３２において表示させる（ステップＢ６）。この時，リダイヤル電話番号をもとにメモリダイヤル情報１６ａを検索することで，リダイヤル電話番号に対応する名前が得られた場合には電話番号と共に名前を表示させる。
【００４４】以下，キーボード２４に設けられた矢印キーに対する指示に応じたスクロールによって，順次，リダイヤル電話番号情報１６ｂに登録されている次のリダイヤル電話番号と，このリダイヤル電話番号に対応する顔画像，名前を表示させて（メモリダイヤル情報１６ａに登録されていた場合），リダイヤルの対象とする電話番号を検索することができる。
【００４５】すなわち，キーボード２４の上方向の矢印キー（図２に示す上方向矢印キー２４ａ）または下方向の矢印キー（図２に示す下方向矢印キー２４ｂ）が操作された場合（ステップＢ８），制御部１４は，操作された矢印キーに応じた方向での所定の順番に従ってリダイヤル電話番号情報１６ｂから次のリダイヤル電話番号を取り出す（ステップＢ８，Ｂ２）。制御部１４は，取り出したリダイヤル電話番号に対して，前述と同様にしてメモリダイヤル情報１６ａに顔画像が登録されているか否かを照合し（ステップＢ３），顔画像が登録されていればリダイヤル電話番号と共に表示部３２において表示させる（ステップＢ４，Ｂ５）。従って，リダイヤル電話番号情報１６ｂに登録されたリダイヤル電話番号に対応する顔画像がメモリダイヤル情報１６ａのエントリに登録されていれば，矢印キーの連続的な操作に応じて，順次，異なるリダイヤル電話番号のそれぞれに対応する顔画像を表示させることができる。
【００４６】こうして，矢印キーに対する操作に応じた指示に応じたスクロールによって，リダイヤル電話番号情報１６ｂに登録されている電話番号だけでなく顔画像を表示させることによって，リダイヤル発信しようとする相手を容易に判別することができる。
【００４７】そして，リダイヤル発信しようとする相手のリダイヤル電話番号と，メモリダイヤル情報１６ａにリダイヤル電話番号に対応する顔画像と名前が登録されていれば，これらが共に表示された状態でキーボード２４の決定キーが操作されると，制御部１４は，選択されたリダイヤル電話番号を固定表示させる（ステップＢ９）。
【００４８】ここで，リダイヤル電話番号が表示された相手との通話を行なうために発呼キーが操作されると（ステップＢ１０），制御部１４は，そのリダイヤル電話番号に従って発呼し，回線の接続を行なう（ステップＢ１１）。回線が接続されると通話が行われる（ステップＢ１２）。
【００４９】なお，決定キーの操作によって固定表示されたリダイヤル電話番号とは別のリダイヤル電話番号の相手にリダイヤルする場合には矢印キーが操作され（ステップＢ８），再び，リダイヤル電話番号情報１６ｂに登録された次のリダイヤル電話番号に対応する顔画像の検索が行われ，該当する顔画像が登録されていればリダイヤル電話番号と共に表示させる。この場合，前述と同様にして，矢印キーの操作に応じたスクロールにより所望する通話相手（電話番号）を検索することができる。
【００５０】このようにして，リダイヤル発信を行なう場合にリダイヤル電話番号情報１６ｂに登録されたリダイヤル電話番号を表示させるだけでなく顔画像を表示させることで，リダイヤルしようとする相手を顔画像によって確認し，そのリダイヤル電話番号を簡単に検索することができる。この際，顔画像の表示が表示部３２の１画面中に表示されるために，携帯通信端末１０が小型に構成されて表示部３２の表示画面サイズが小さくなったとしても，顔画像の表示が見にくくなることがないので，確実にリダイヤルしようとしている相手を選択することができる。」（５頁８欄４行〜６頁１０欄９行）
　　
　上記イによれば，「メモリ」には，リダイヤル用に，リダイヤル電話番号記憶手段があり，同様に，上記ホによれば，エントリ用に，メモリダイヤル情報記憶手段があり，
　上記ヘの「リダイヤルしようとする電話番号の検索を行なう」（段落【００３９】）によれば，第１検索手段があり，同様に，「制御部１４は，リダイヤル電話番号情報１６ｂから取り出したリダイヤル電話番号をもとにメモリダイヤル情報１６ａに登録されている電話番号を検索し，該当する電話番号があった場合に，この電話番号に対応して顔画像が登録されているか否かによって判別する。」（段落【００４１】）によれば，第２検索手段があり，
　上記へ（段落【００４２】【００４３】）によれば，（リダイヤル電話番号記憶手段に記憶された）複数の通信履歴を表示する際は，画像無しで表示するのか，画像付で表示するのかを検索して，自動的に指定しているから，その指定のために指定手段が事実上備わっており，
　上記へ（段落【００４２】）によれば，名前や電話番号等の「文字情報」が表示されているから，そのためには，当然に，第１表示制御手段が備わっており，同様に，上記ヘ（段落【００４３】）によれば，画像が付加された文字情報を表示する第２表示制御手段も備わっているものといえる。
　
　したがって，上記イ．ロ．ハ．ニ．ホ．ヘ．の摘記事項，及びこの分野の技術常識を考慮すれば，引用例には，以下の発明（以下，「引用発明」という。）が開示されている。
　
　（引用発明）
　「通信相手との通信を行う通信手段を有した携帯通信端末であって，
　任意に選択された送信先に対しての通信先情報を含む文字情報を登録すると共に，その送信先に対して画像を任意に対応付けて登録したエントリを，複数記憶するメモリダイヤル情報記憶手段と，
　上記通信手段を介して通信を行った際に，その通信相手の通信先情報を通信履歴として記憶するリダイヤル電話番号記憶手段と，
　上記リダイヤル電話番号記憶手段に記憶された各通信履歴毎に，その通信履歴の通信先情報が上記メモリダイヤル情報記憶手段内のエントリとして記憶されているか否かを検索する第1検索手段と，
　上記第1検索手段でエントリとして記憶されていると検索された送信先のエントリに，送信先画像が対応付けて登録されているか否かを検索する第２検索手段と，
　上記リダイヤル電話番号記憶手段に記憶された複数の通信履歴を表示する際は，画像無しで表示するのか，画像付で表示するのかを自動的に指定する指定手段と，
　画像無しで表示することが指定された際は，上記リダイヤル電話番号記憶手段に記憶された複数の通信履歴の各送信先毎に，上記第1検索手段での検索に基づいた文字情報を表示する第１表示制御手段と，
　画像付で表示することが指定された際は，上記リダイヤル電話番号記憶手段に記憶された複数の通信履歴の各送信先毎に，上記第1検索手段と上記第２検索手段との検索に基づき，予め画像が対応付け登録されている送信先の場合には当該登録画像に基づく画像が付加された文字情報を表示する第２表示制御手段と，
　を備えた携帯通信端末。」
　
３．対比  
　本願発明と引用発明とを対比する。
　引用発明の「携帯通信端末」も電話に用いるものであるから，本願発明の「携帯電話端末」との間に実質的な相違はなく，
　引用発明の「送信先」は当然相手のことを意味するから，本願発明の「相手先」との間に実質的な相違はなく，
　引用発明の「通信先情報」における通信先は連絡先のことであるから，本願発明の「連絡先情報」との間に実質的な相違はなく，
　引用発明の「文字情報」は相手先に関した情報であるから，相手先情報であり，
　引用発明の「エントリ」は相手先のアドレスに関した情報であり，これをまとめた「メモリダイヤル情報」はアドレス帳ということができ，アドレス帳の情報という意味において，「エントリ」はアドレス帳情報ということもでき，それに付随して，引用発明の「メモリダイヤル情報記憶手段」はアドレス帳記憶手段であり，
　引用発明の「リダイヤル電話番号記憶手段」は通信履歴を記憶しておくものであるから，通信履歴記憶手段である。
　したがって，本願発明と引用発明とは以下の点で一致ないし相違する。
 　  
　［一致点］
　「通信相手との通信を行う通信手段を有した携帯電話端末であって，
　任意に選択された相手先に対しての連絡先情報を含む相手先情報を登録すると共に，その相手先に対して画像を任意に対応付けて登録したアドレス帳情報を，複数記憶するアドレス帳記憶手段と，
　上記通信手段を介して通信を行った際に，その通信相手の連絡先情報を通信履歴として記憶する通信履歴記憶手段と，
　上記通信履歴記憶手段に記憶された各通信履歴毎に，その通信履歴の連絡先情報が上記アドレス帳記憶手段内のアドレス帳情報として記憶されているか否かを検索する第1検索手段と，
　上記第1検索手段でアドレス帳情報として記憶されていると検索された相手先のアドレス帳情報に，相手先画像が対応付けて登録されているか否かを検索する第２検索手段と，
　上記通信履歴記憶手段に記憶された複数の通信履歴を表示する際は，画像無しで表示するのか，画像付で表示するのかを指定する指定手段と，
　画像無しで表示することが指定された際は，上記通信履歴記憶手段に記憶された複数の通信履歴の各相手先毎に，上記第1検索手段での検索に基づいた相手先情報を表示する第１表示制御手段と，
　画像付で表示することが指定された際は，上記通信履歴記憶手段に記憶された複数の通信履歴の各相手先毎に，上記第1検索手段と上記第２検索手段との検索に基づき，予め画像が対応付け登録されている相手先の場合には当該登録画像に基づく画像が付加された相手先情報を表示する第２表示制御手段と，
　を備えた携帯電話端末。」
　
　［相違点］
　ａ）携帯電話端末に，本願発明は「複数の画像を記憶する画像記憶手段」を備えさせているのに対し，引用発明はそのように構成されていない点。
　ｂ）アドレス帳情報に登録した画像として，本願発明は「画像記憶手段に記憶される」画像を用いるのに対し，引用発明はそのように構成されていない点。
　ｃ）通信履歴として，連絡先情報の他に，本願発明は「通信日時」を記憶させているのに対し，引用発明はそのように構成されていない点。
　ｄ）通信履歴を表示する際，その表示を，本願発明は「一覧」でしているのに対し，引用発明は「一覧」でしていない点。
　ｅ）画像無しで表示するのか，画像付で表示するのかを指定する際，その指定を，本願発明は「任意に」するのに対し，引用発明は「自動的に」する点。
　ｆ）画像付で表示することが指定された際，画像として，本願発明は「縮小」画像を用いるのに対し，引用発明はそのように構成されていない点。
　
４．判断
　そこで，相違点について検討する。
　相違点ａ）ｂ）について
　テレビ電話や携帯電話等において，複数の画像を記憶する画像記憶手段を備え，アドレス帳情報と画像記憶手段の画像とを連係させることは，例えば特開平９−１６３３２９号公報，特開２０００−９２１８４号公報，特開平６−３１９１３７号公報，特開平４−４２６５４号公報に示されているように，周知技術であるから，相違点ａ）の如く携帯電話端末に，「複数の画像を記憶する画像記憶手段」を備えさせて，相違点ｂ）の如くアドレス帳情報に登録した画像として，「画像記憶手段に記憶される」画像を用いることは，当業者が容易に想到し得ることである。したがって，相違点ａ）ｂ）の構成を採用することには格別の困難性が存在しない。
　
　相違点ｃ）について
　引用例のヘ．には「【００４０】まず，待ち受け時にリダイヤル発信がキーボード２４の所定のキーに対する操作によって要求されると（ステップＢ１），制御部１４は，リダイヤル電話番号情報１６ｂから所定の順番に従って最初のエントリの情報を取り出す（ステップＢ２）。なお，リダイヤル電話番号情報１６ｂのエントリに対する所定の順番としては，通話を行った日時が新しい順，通話回数頻度順などに基づいて並べ替えが可能であるものとする。」と記載されており，この記載によれば，通信日時自体を記憶しているとは明記されていないものの，並び替えとの関係で，通信日時自体を記憶させることが強く示唆されているというべきであり，さらに，携帯電話において，発信履歴，着信履歴等の通信履歴として電話番号と名前と通信日時を用い，電話番号と名前と通信日時をメモリに登録して，電話番号と名前と通信日時を表示部に表示することは，例えば，特開２０００−１７４８９１号公報，特開平１０−１２６４８４号公報，特開２００２−８４３５９号公報，特開２００２−１７１３３２号公報，特開２００２−１７１３３３号公報に示されているように，周知技術であるから，通信履歴として，連絡先情報の他に，「通信日時」を記憶させることは，当業者が容易に想到し得ることである。したがって，相違点ｃ)の構成を採用することには格別の困難性が存在しない。
　
　相違点ｄ）ｅ）ｆ）について　
　テレビ電話や携帯電話等において，相手先情報や通信履歴を表示する際，画像無しで表示するのか，画像付で表示するのかの指定を任意にすること，相手先情報や通信履歴を表示する際，画像無しで一覧表示するのか，画像付で一覧表示するのかの指定を任意にすること，及び画像付で表示することが指定された際，画像として，縮小画像を用いることは，例えば，特開平１０−１０７８８９号公報，特開平６−２６１３１１号公報，特開２００２−１６６７３号公報，特開平８−９４３６号公報，特開２０００−１３８８８６号公報に示されているように，周知技術であるから，相違点ｅ）の如く画像無しで表示するのか，画像付で表示するのかを指定する際，その指定を「任意に」すること，相違点ｄ）の如く通信履歴を表示する際，その表示を「一覧」ですること，相違点ｆ）の如く画像付で表示することが指定された際，画像として，「縮小」画像を用いることは，当業者が容易に想到し得ることである。したがって，相違点ｄ）ｅ）ｆ）の構成を採用することには格別の困難性が存在しない。
　
　また，本願発明の構成によってもたらされる効果も，引用発明及び周知技術から当業者が予測できる範囲内のものである。
　
５．むすび
　したがって，本願発明は，引用発明及び周知技術に基づいて，当業者が容易に発明をすることができたものであるから，特許法第２９条第２項の規定により特許を受けることができない。
　よって，結論のとおり審決する。